(57)【要約】【課題】原稿の両面に任意に指定された読取領域の読み取り時間を短縮することを目的とする。【解決手段】原稿２４の両面に任意に指定された第一及び第二領域３０Ａ，３０Ｂにおける下流端Ｃ１，Ｃ２、及び上流端Ｄ１，Ｄ２の位置にもとづいて、両領域３０Ａ，３０Ｂの下流端Ｃ１，Ｃ２間の下流端間隔Ｇ１、上流端Ｄ１，Ｄ２間の上流端間隔Ｇ２と、各領域３０Ａ，３０Ｂの長さＬＡとＬＢと、それぞれの領域が搬送方向に対してどちらが下流側（上流側）に配置されているかの関係などから、第一及び第二読取部１１Ａ，１１Ｂの下流側上流側の配置関係と、両読取部間の間隔Ｋとが決定される。このように設定された第一及び第二読取部１１Ａ，１１Ｂに対して、搬送されてきた原稿２４の両領域３０Ａ，３０Ｂの下流端Ｃ１，Ｃ２が同時に対向し、両領域３０Ａ，３０Ｂが並行して読み取られる。【選択図】        図９
2010068377.tif 000002
【特許請求の範囲】
【請求項１】
原稿の第一面を読み取る第一読取部と、前記第一面とは反対側の第二面を読み取る第二読取部と、
前記第一及び第二読取部による読み取りが実行される際、前記原稿と前記第一及び第二読取部を相対的に移動させる移動部と、
前記原稿の第一面のうち読み取られる領域である第一領域と、前記原稿の第二面のうち読み取られる領域である第二領域とを、少なくとも前記移動の方向において指定する領域指定部と、
前記領域指定部により指定された前記第一及び第二領域に応じて、前記第一及び第二読取部の少なくとも一方の前記移動方向に対する位置を変更する変更部と、
を備え、
前記変更部は、前記第一又は第二領域の読み取りが開始されてから終了するまでの間に、他方の前記領域の読み取りが開始されてから終了するように、前記第一又は第二読取部の位置を変更することを特徴とする読取装置。
【請求項２】
原稿の第一面を読み取る第一読取部と、前記第一面とは反対側の第二面を読み取る第二読取部と、
前記第一及び第二読取部による読み取りが実行される際、前記原稿と前記第一及び第二読取部を相対的に移動させる移動部と、
前記原稿の第一面のうち読み取られる領域である第一領域と、前記原稿の第二面のうち読み取られる領域である第二領域とを、少なくとも前記移動の方向において指定する領域指定部と、
前記領域指定部により指定された前記第一及び第二領域に応じて、前記第一及び第二読取部の少なくとも一方の前記移動方向に対する位置を変更する変更部と、
を備え、
前記変更部は、前記両領域のうち一方の領域に対向可能な一方の読取部の位置に対し、前記移動方向において前記一方の領域の下流端からみて他方の領域の下流端が位置する方向に前記下流端間隔から、前記一方の領域の上流端からみて他方の領域の上流端が位置する方向に前記上流端間隔までの間の範囲に他方の読取部の位置を変更することを特徴とする読取装置。
【請求項３】
請求項１又は請求項２に記載の読取装置であって、
前記変更部は、前記第一及び第二読取部の位置を予め定められた所定値以上離して変更することを特徴とする読取装置。
【請求項４】
請求項１から請求項３のいずれか一つに記載の読取装置であって、
前記移動部の移動速度を制御する速度制御部を備え、
前記速度制御部は、前記第一及び第二読取部のいずれもが前記第一及び第二領域に対向していないときは、その少なくとも一方が前記第一又は第二領域に対向しているときよりも高速に前記原稿と前記第一及び第二読取部を相対的に移動させるように制御することを特徴とする読取装置。
【請求項５】
請求項１から請求項４のいずれか一つに記載の読取装置であって、
前記移動部の移動速度を制御する速度制御部と、
前記第一及び前記第二領域の読み取りを実行する際の移動速度をそれぞれ指定する速度指定部と、
を備え、
前記速度指定部にて指定された前記移動速度が前記第一及び第二領域にて異にする場合、前記速度制御部は、前記第一又は第二領域にて指定された前記移動速度の内、遅い方の
速度で前記原稿と前記第一及び第二読取部を相対的に移動させるように制御することを特徴とする読取装置。
【請求項６】
請求項１から請求項５のいずれか一つに記載の読取装置であって、
前記第一及び第二読取部にて所定の時間あたりに読み取る読取データ量を推定する推定部を備え、
前記推定部によって推定された前記読取データ量が所定のデータ量以下である場合、前記変更部は、前記第一又は第二領域の読み取りが開始されてから終了するまでの間に、他方の前記領域の読み取りが開始されてから終了するように、前記第一又は第二読取部を前記第一又は第二領域に対して配置し、かつ、
前記推定部によって推定された前記読取データ量が所定のデータ量を超える場合、前記変更部は、前記第一領域と前記第二領域とを連続して読み取るように、前記第一又は第二読取部の位置を変更することを特徴とする読取装置。
【請求項７】
請求項１から請求項６のいずれか一つに記載の読取装置であって、
前記第一及び第二読取部により読み取った前記第一及び第二面の読取画像を表示する表示部を備え、
前記領域指定部は、前記表示部に表示された前記読取画像を基に前記第一及び第二領域を指定することを特徴とする読取装置。
【請求項８】
請求項１から請求項７のいずれか一つに記載の読取装置であって、
前記領域指定部は、前記第一及び第二領域の、前記移動方向の両端を指定することを特徴とする読取装置。
【請求項９】
請求項１から請求項８のいずれか一つに記載の読取装置を備え、
前記読取装置にて読み取った読取データを用いて用紙に印刷をする印刷部を有することを特徴とする画像形成装置。
【発明の詳細な説明】
【技術分野】
【０００１】
本発明は、二つの読取部で原稿の第一面の及び第二面を読み取ることが可能な読取装置、及び画像形成装置に関する。
【背景技術】
【０００２】
従来から、読取部を二つ備える両面読み取り装置が提案されている。当該両面読み取り装置は、読み取る原稿の第一面（表面）、及び第二面（裏面）を専用の読取部によって読み取るので、両面読み取りの処理に時間がかからない利点がある。
【０００３】
また、下記特許文献１には、読み取り処理を第一面、第二面の順に処理するために読取部の読み取り位置を変化させる技術が提案されている。
【特許文献１】特開２００３−３４８３００号公報
【発明の開示】
【発明が解決しようとする課題】
【０００４】
しかしながら、上記した読取部を二つ備える両面読み取り装置による両面読み取り処理であっても、十分に原稿を読み取る時間が短いとはいえない。
【０００５】
何故なら、一般的な両面読み取り装置は二つの読取部の位置が固定であり、かつ上記特許文献１のように二つの読取部の位置が搬送方向にずれている場合、両面を読み取ろうとすると二つの読取部により第一面及び第二面を重複して読み取る期間と、二つの読取部により第一面及び第二面をそれぞれ単独で読み取る期間が存在するため、それらの期間を足したものが読み取る時間となるからである。
【０００６】
また、第一面と第二面との一部分の領域のみを指定して読み取る場合、両読み取り領域のずれ量と二つの読取部のずれ量とが一致する場合を除いて多くの場合、上記のようにそれぞれ単独で読み取る期間が存在することは避けられない。
【０００７】
尚、上記特許文献１の技術によっても、第一面及び第二面を重複して読み取る期間と、それぞれの面を単独で読み取る期間とが生じ、読み取り時間が長くなっていた。
【０００８】
よって、本発明は、原稿の両面に任意に設定された読取領域の読み取り時間を短縮することを目的とする。
【課題を解決するための手段】
【０００９】
この目的を達成するために、請求項１に記載の読取装置は、原稿の第一面を読み取る第一読取部と、前記第一面とは反対側の第二面を読み取る第二読取部と、前記第一及び第二読取部による読み取りが実行される際、前記原稿と前記第一及び第二読取部を相対的に移動させる移動部と、前記原稿の第一面のうち読み取られる領域である第一領域と、前記原稿の第二面のうち読み取られる領域である第二領域とを、少なくとも前記移動の方向において指定する領域指定部と、前記領域指定部により指定された前記第一及び第二領域に応じて、前記第一及び第二読取部の少なくとも一方の前記移動方向に対する位置を変更する変更部と、を備え、前記変更部は、前記第一又は第二領域の読み取りが開始されてから終了するまでの間に、他方の前記領域の読み取りが開始されてから終了するように、前記第一又は第二読取部の位置を変更することを特徴とする。
【００１０】
また、請求項２に記載の読取装置は、原稿の第一面を読み取る第一読取部と、前記第一
面とは反対側の第二面を読み取る第二読取部と、前記第一及び第二読取部による読み取りが実行される際、前記原稿と前記第一及び第二読取部を相対的に移動させる移動部と、前記原稿の第一面のうち読み取られる領域である第一領域と、前記原稿の第二面のうち読み取られる領域である第二領域とを、少なくとも前記移動の方向において指定する領域指定部と、前記領域指定部により指定された前記第一及び第二領域に応じて、前記第一及び第二読取部の少なくとも一方の前記移動方向に対する位置を変更する変更部と、を備え、前記変更部は、前記両領域のうち一方の領域に対向可能な一方の読取部の位置に対し、前記移動方向において前記一方の領域の下流端からみて他方の領域の下流端が位置する方向に前記下流端間隔から、前記一方の領域の上流端からみて他方の領域の上流端が位置する方向に前記上流端間隔までの間の範囲に他方の読取部の位置を変更することを特徴とする。
【００１１】
また、請求項３に記載の読取装置は、請求項１又は請求項２に記載の読取装置であって、前記変更部は、前記第一及び第二読取部の位置を予め定められた所定値以上離して変更することを特徴とする。
【００１２】
また、請求項４に記載の読取装置は、請求項１から請求項３のいずれか一つに記載の読取装置であって、前記移動部の移動速度を制御する速度制御部を備え、前記速度制御部は、前記第一及び第二読取部のいずれもが前記第一及び第二領域に対向していないときは、その少なくとも一方が前記第一又は第二領域に対向しているときよりも高速に前記原稿と前記第一及び第二読取部を相対的に移動させるように制御することを特徴とする。
【００１３】
また、請求項５に記載の読取装置は、請求項１から請求項４のいずれか一つに記載の読取装置であって、前記移動部の移動速度を制御する速度制御部と、前記第一及び前記第二領域の読み取りを実行する際の移動速度をそれぞれ指定する速度指定部と、を備え、前記速度指定部にて指定された前記移動速度が前記第一及び第二領域にて異にする場合、前記速度制御部は、前記第一又は第二領域にて指定された前記移動速度の内、遅い方の速度で前記原稿と前記第一及び第二読取部を相対的に移動させるように制御することを特徴とする。
【００１４】
また、請求項６に記載の読取装置は、請求項１から請求項５のいずれか一つに記載の読取装置であって、前記第一及び第二読取部にて所定の時間あたりに読み取る読取データ量を推定する推定部を備え、前記推定部によって推定された前記読取データ量が所定のデータ量以下である場合、前記変更部は、前記第一又は第二領域の読み取りが開始されてから終了するまでの間に、他方の前記領域の読み取りが開始されてから終了するように、前記第一又は第二読取部を前記第一又は第二領域に対して配置し、かつ、前記推定部によって推定された前記読取データ量が所定のデータ量を超える場合、前記変更部は、前記第一領域と前記第二領域とを連続して読み取るように、前記第一又は第二読取部の位置を変更することを特徴とする。
【００１５】
また、請求項７に記載の読取装置は、請求項１から請求項６のいずれか一つに記載の読取装置であって、前記第一及び第二読取部により読み取った前記第一及び第二面の読取画像を表示する表示部を備え、前記領域指定部は、前記表示部に表示された前記読取画像を基に前記第一及び第二領域を指定することを特徴とする。
【００１６】
また、請求項８に記載の読取装置は、請求項１から請求項７のいずれか一つに記載の読取装置であって、前記領域指定部は、前記第一及び第二領域の、前記移動方向の両端を指定することを特徴とする。
【００１７】
また、請求項９に記載の読取装置は、請求項１から請求項８のいずれか一つに記載の読取装置を備え、前記読取装置にて読み取った読取データを用いて用紙に印刷をする印刷部
を有することを特徴とする。
【発明の効果】
【００１８】
＜請求項１の発明＞
読取部が二つ備えられた読取装置において、第一面及び第二面の第一及び第二の読み取り領域を指定し、その指定にもとづいて第一及び第二の読取部の少なくとも一方の位置を変更し、第一又は第二領域が読み取られる間に他方の原稿の読み取りが開始され終了しているように、第一及び第二の読取部の位置を変更するため、両面の任意の位置に第一及び第二領域があっても短い時間で読み取ることが可能である。
【００１９】
＜請求項２の発明＞
読取部が二つ備えられた読取装置において、第一面及び第二面の第一及び第二の読み取り領域を指定し、その指定にもとづいて第一及び第二の読取部の少なくとも一方の位置を変更し、一方の読取部の位置に対し、前記移動方向において上流端間隔から下流端間隔までの間の範囲に他方の読取部の位置を変更するため、両面の任意の位置に第一及び第二領域があっても短い時間で読み取ることが可能である。
【００２０】
＜請求項３の発明＞
第一及び第二読取部の間隔が予め定められて所定値より小さいことで生ずる読み取りの際の裏写り現象を防止するため、第一及び第二読取部の位置を前記所定値以上離して変更することで、裏写りを防止可能である。
【００２１】
＜請求項４の発明＞
第一及び第二読取部による読み取りが行われていない時に、原稿と第一及び第二読取部の相対的な移動速度を早くするため、読み取りを効率よく実行することが可能である。
【００２２】
＜請求項５の発明＞
第一及び第二領域にそれぞれ指定した移動速度が異なる場合、第一及び第二領域の移動速度の内、速度の遅い方の移動速度にて原稿と第一及び第二読取部を相対的に移動させることで、原稿の読み取りを精度よく実行することが可能である。
【００２３】
＜請求項６の発明＞
原稿の第一領域と第二領域との所定時間あたりの読取データ量を推定し、読取データ量が少ない場合、前述のように一方の領域の読み取りの間に他方の領域の読み取りが終了するように第一及び第二読取部の位置を変更することで、短時間で読み取ることが出来る。また、読取データ量が多い場合は、原稿の第一領域と第二領域を連続的に読み取ることで読取装置の負荷を下げることが出来る。
【００２４】
＜請求項７の発明＞
使用者が表示部に原稿の第一及び第二面の読取画像を確認しつつ第一及び第二領域を指定できるため、指定を容易に実行することが可能である。
【００２５】
＜請求項８の発明＞
第一及び第二領域の両端をそれぞれ指定するのみなので、使用者による第一及び第二領域の指定が容易である。
【００２６】
＜請求項９の発明＞
本読取装置にて両面の任意の位置に第一及び第二領域があっても短い時間で読み取ることが可能であるため、前記読取装置を備える画像形成装置においても短い時間にて複写処理を実行することが可能である。
【発明を実施するための最良の形態】
【００２７】
以下、本発明の読取装置及び画像形成装置における実施形態について、詳細に説明をする。
【００２８】
［第一の実施形態］
まず、第一の実施形態を説明する。
【００２９】
＜ハード構成＞
図１は、本発明を画像読取装置付き画像形成装置の一例としての複合機（以下ＭＦＰという）１に具体化したハード構成図である。
【００３０】
ＭＦＰ１は、大略、用紙等に印刷（すなわち画像形成）を行う印刷部７と、原稿２４の画像を読み取る読取装置２５と、それらを制御する制御回路２０とを備える。制御回路２０は、ＣＰＵ２と、ＣＰＵ２が行う起動プログラム等を記憶したＲＯＭ３と、ＣＰＵ２が各種処理を行う際に記憶領域として用いるＲＡＭ４とによって構成されている。
【００３１】
ＭＦＰ１はさらに、制御回路２０に対して各種の入力等を行う操作部６と、各種の情報を表示する表示部５とを備え、また、モデム８を介して電話回線１５と接続し、ネットワークＩ／Ｆ９を介してネットワーク１６上のパーソナルコンピュータ（以下ＰＣという）１４と接続し、外部機器との接続用Ｉ／Ｆ１０を介してＵＳＢメモリ１７等の外部機器と接続することができる。
【００３２】
ＭＦＰ１では、上記した各部や装置単独あるいは組み合わせで、印刷処理、読取処理、コピー処理、ＦＡＸ受信処理、ＦＡＸ送信処理等の様々な処理が実現される。
【００３３】
＜読取装置の全体構成＞
図２は、読取装置２５の一例を示した構成図である。
【００３４】
読取装置２５は、第一及び第二読取部１１Ａ，１１Ｂと、搬送ローラ２１を含む移動部とによって構成されている。
【００３５】
搬送ローラ２１は、原稿２４を挟みつつ搬送駆動モータ１３によって回転されることで、原稿２４を搬送する。
【００３６】
第一及び第二読取部１１Ａ，１１Ｂは、原稿２４の表面（第一面）とそれと反対側の裏面（第二面）とに別々に対向して配置されている。各読取部１１Ａ，１１Ｂは、それぞれ第一及び第二発光部２２Ａ，２２Ｂと、第一及び第二受光部２３Ａ，２３Ｂとによって構成されている。原稿２４に第一及び第二発光部２２Ａ、２２Ｂから光を照射し、原稿２４から反射した光を第一及び第二受光部２３Ａ、２３Ｂにより受光することで、原稿２４の両面の画像をそれぞれ読み取ることが可能である。
【００３７】
また、第一及び第二読取部１１Ａ，１１Ｂは第一及び第二駆動モータ１２Ａ，１２Ｂによりそれぞれ原稿２４の搬送方向と平行に移動し、その方向の任意の位置に停止することが可能である。第一及び第二読取部１１Ａ，１１Ｂは、搬送ローラ２１の回転軸方向に沿ってライン上に構成されており、搬送された原稿２４の原稿面に対し搬送方向と直交した方向（以下、「幅方向」と呼称する）の画像ラインを一度に読み取ることが可能である。
【００３８】
＜読取モードの指定＞
本実施形態では、原稿２４の第一及び第二面の読取において、表示部５と操作部６とに
て、読取モードを選択し、読取解像度の指定、カラー／モノクロの指定、プレスキャンの有無の指定等を行うことができる。制御回路２０は、これらの指定にしたがって、読取部１１Ａ，１１Ｂを制御し、また搬送駆動モータの１３の回転速度を制御して原稿２４の搬送速度を制御する。読取解像度が高いときは低いときよりも、またカラー指定したときはモノクロ指定したときよりも原稿２４の搬送速度が遅くなる。
【００３９】
プレスキャンとは、原稿２４の第一及び第二面を低い読取解像度で素早く読み取り、表示部５またはＰＣ１４に読取画像を表示することである。この場合、通常の低解像度相当またはそれよりも速い速度で原稿２４を搬送する。
【００４０】
制御回路２０は、表示部５及び操作部６と協働して本発明の「速度指定部」を構成する。また、制御回路２０は、その「速度指定部」による指定にもとづいて、所定の時間当たりに読み取る読取データ量を推定する「推定部」を構成する。
【００４１】
＜読取領域の指定＞
次に、原稿２４のどの部分を読み取るかを、表示部５と操作部６により指定することを説明する。
【００４２】
読取領域の指定では、図３の様に、原稿２４の第一及び第二面の読取領域をそれぞれ第一及び第二領域３０Ａ，３０Ｂとして指定する。
【００４３】
読取領域の指定方法は、表示部５と操作部６により読取領域の指定モードを選択し、操作部６により、第一及び第二面の上半分または下半分を読取領域として指定する方法、また、第一及び第二面の上端、下端、右端及び左端からの距離を数値入力してそれに囲まれ得た部分を読取領域として指定する方法などが可能である。
【００４４】
さらには、図４のように表示部５に原稿２４に対応した紙面の例とポインタ３１が表示され、操作部６の操作によりポインタ３１を動かし読取領域を指定してもよい。この場合、例えば図４の第一面のようにポインタ３１により読取領域を囲むことで指定してもよいし、図４の第二面のようにポインタ３１により一つの角と対向する他の角とを指定することで読取領域を指定してもよい。表示部５に表示する紙面の例は、プログラム上にあらかじめ作成したものであっても、また、前述のプレスキャンによって読み取ったものであってもよい。このように指定した場合、制御回路２０は、ポインタ３１の位置を原稿２４の端からの距離に変換して読取領域として記憶する。
【００４５】
本実施形態において、第一及び第二読取部１１Ａ，１１Ｂの少なくとも一方が搬送方向に移動するものであるから、第一及び第二領域３０Ａ，３０Ｂの指定は、少なくとも搬送方向の両端を指定するだけであっても差し支えない。
【００４６】
制御回路２０は、表示部５及び操作部６と協働して本発明の「領域指定部」を構成し、さらに、その領域指定にもとづいて、後述するように、第一及び第二読取部１１Ａ，１１Ｂを配置する「位置変更部」を構成する。
【００４７】
＜基本的な読取動作の説明＞
図９に示すように、原稿２４の第一及び第二の面の画像（第一及び第二領域３０Ａ，３０Ｂの位置）が搬送方向にずれている場合、第一及び第二読取部がそれぞれ対向して配置されているとき、第一及び第二読取部は画像を順次読み取らなければならず、読み取りに時間がかかる。
【００４８】
制御回路２０は、例えば、あらかじめ指定した第一及び第二領域３０Ａ，３０Ｂの下流
端Ｃ１，Ｃ２の位置に対応して第一及び第二読取部１１Ａ，１１Ｂを配置しておき、原稿２４が搬送されてきたときに、第一及び第二領域３０Ａ，３０Ｂの下流端Ｃ１，Ｃ２に第一及び第二読取部１１Ａ，１１Ｂをそれぞれ同時に対向させることで同時に読み取りを開始し、上流端Ｄ１，Ｄ２に達したとき読み取りを終了する。
【００４９】
図９（２）は、図９（１）における１〜５で示した各読み取り過程における読み取りデータ量を示す。横軸を時間軸、縦軸をデータ量としている。
【００５０】
第一及び第二領域３０Ａ，３０Ｂの搬送方向の位置及び長さは任意であるが、以下に詳細に説明するように、あらかじめ指定した第一及び第二領域３０Ａ，３０Ｂにもとづいて、第一及び第二読取部１１Ａ，１１Ｂを移動させておくことで、読み取り時間を短縮することが可能となる。
【００５１】
＜第一及び第二読取部１１Ａ，１１Ｂの配置処理の説明＞
図５は、第一及び第二読取部１１Ａ，１１Ｂを第一及び第二領域３０Ａ，３０Ｂにもとづいて配置するための処理を表したフローチャートである。また、図６及び図７は、第一及び第二読取部１１Ａ，１１Ｂと第一及び第二領域３０Ａ，３０Ｂとの関係を説明する図である。図６及び図７は、図面の左側が搬送方向の上流であり、図面の右側が搬送方向の下流である。尚、図６及び図７における配置の説明では、第二読取部１１Ｂの位置を固定し、第一読取部１１Ａの位置を決定する処理を説明する。
【００５２】
尚、本実施形態は、第一及び第二領域３０Ａ、３０Ｂの搬送方向に対するそれぞれの下流端をＣ１及びＣ２、上流端をＤ１及びＤ２と定義する。また、第一及び第二領域３０Ａ、３０Ｂそれぞれの下流端Ｃ１及びＣ２の搬送方向の下流端間隔（｜Ｃ１―Ｃ２｜）をＧ１、それぞれの上流端Ｄ１及びＤ２の搬送方向の上流端間隔（｜Ｄ１−Ｄ２｜）をＧ２とそれぞれ定義する。
【００５３】
さらに、第一領域３０Ａの搬送方向の距離（｜Ｃ１−Ｄ１｜）をＬＡ、第二領域３０Ｂの搬送方向の距離（｜Ｃ２−Ｄ２｜）をＬＢとそれぞれ定義する。また、第一読取部１１Ａと第二読取部１１Ｂの搬送方向の間隔をＫと定義する。
【００５４】
また、本実施形態には搬送方向に対して所定の間隔Ｓが規定されている。この所定の間隔Ｓは、第一読取部１１Ａと第二読取部１１Ｂによる読取処理の際に、本来読み取るべきでない原稿２４の反対面の画像データを読み取ってしまうことを防止するための間隔である。つまり、第一及び第二読取部１１Ａ，１１Ｂが間隔Ｓより短く近接して（ほぼ互いに対向する状態に）配置されると、原稿２４の逆側の読取面に対する発光部により、本来読み取るべき読取面ではない逆側の読取面が透かされることで読み取ってしまう。
【００５５】
尚、これは一般的に「裏写り」と呼ばれる現象である。本実施形態では、これを避けるため、後述するように間隔Ｋが間隔Ｓよりも小さくならないように制御される。
【００５６】
図５に示される配置処理は、制御回路２０にて読取領域が指定された後に実行される。本処理が実行されると、制御回路２０によりＳ１０１にて、指定された第一及び第二領域３０Ａ，３０Ｂにおける下流端のＣ１，Ｃ２、及び上流端のＤ１，Ｄ２の位置データが読み込まれる。そして、第一及び第二領域３０Ａ，３０Ｂの下流端Ｃ１及びＣ２の下流端間隔Ｇ１、上流端Ｄ１及びＤ２の上流端間隔Ｇ２が求められる。
【００５７】
その後、Ｓ１０２にて、上下流端間隔Ｇ１及びＧ２と原稿２４の搬送方向の所定の間隔Ｓとが比較される。ここで、少なくとも上下流端間隔Ｇ１及びＧ２のどちらも所定の間隔Ｓより短いものではない場合（Ｇ１≧ＳかつＧ２＜Ｓ、又はＧ２≧ＳかつＧ１＜Ｓ、又は
Ｇ１≧ＳかつＧ２≧Ｓ）（Ｓ１０２：Ｎ）、Ｓ１０３にて、上下流端間隔Ｇ１及びＧ２がどちらも所定の間隔Ｓより長いかか同じかが判断される。
【００５８】
Ｓ１０３にて長いか同じと判断すると（Ｇ１≧ＳかつＧ２≧Ｓ）（Ｓ１０３：Ｙ）、Ｓ１０４にて、第一又は第二領域３０Ａ，３０Ｂの全てが搬送方向において他方の領域内に存在するか否かが判断される。即ち、原稿２４の第一及び第二領域３０Ａ，３０Ｂにおける下流端Ｃ１，Ｃ２及び上流端Ｄ１，Ｄ２の搬送方向における配置されている順序が搬送方向の下流側からＣ１，Ｃ２，Ｄ２，Ｄ１又はＣ２，Ｃ１，Ｄ１，Ｄ２であるか判断される。
【００５９】
Ｓ１０４にて、一方の領域が他方の領域内に存在しない（両領域が搬送方向に互いにずれている）と判断されると（Ｓ１０４：Ｎ）、Ｓ１０５にて、図６（１）から（３）のように第一及び第二読取部１１Ａ，１１Ｂの搬送方向の間隔Ｋが設定される。間隔Ｋは、以下のように所定範囲のうち任意の値をとることができる。
【００６０】
すなわち、第一及び第二領域３０Ａ，３０Ｂのうち一方の領域に対向可能な一方の読取部に対し、前記搬送方向において前記一方の領域の下流端からみて他方の領域の下流端が位置する方向にその下流端（Ｃ１，Ｃ２）間の下流端間隔（Ｇ１）から、前記一方の領域の上流端からみて他方の領域の上流端が位置する方向にその上流端（Ｄ１，Ｄ２）間の上流端間隔（Ｇ２）までの間の任意の間隔（Ｋ）に他方の読取部を配置する。必要に応じて前述のように「裏写り」のおそれがある場合には、間隔Ｋが間隔Ｓよりも小さくならないように第一及び第二読取部１１Ａ，１１Ｂを配置する。
【００６１】
例えば図６（１）のように、距離ＬＢがＬＡより長く、第一領域３０Ａが第二領域３０Ｂより下流側に配置されている場合、両領域の読み取りを短時間に行うには、長い第二領域３０Ｂの読み取り期間中に、短い第一領域３０Ａの読み取りを行うことである。
【００６２】
そこで、第一及び第二領域３０Ａ，３０Ｂの読み取りを同時に開始するため、第二読取部１１Ｂを基準にして、第一読取部１１Ａを、搬送方向において第二領域３０Ｂの下流端Ｃ２から見て第一領域３０Ａの下流端Ｃ１が位置する下流方向に配置し、かつその間隔Ｋを下流端間隔Ｇ１と同じに設定する。このようにすると、第一及び第二読取部１１Ａ，１１Ｂは、搬送されてきた原稿２４の第一及び第二領域３０Ａ，３０Ｂの下流端Ｃ１，Ｃ２に同時に対向し、両領域の読み取りを並行して行うことができる。
【００６３】
一方、第一及び第二領域３０Ａ，３０Ｂの読み取りを同時に終了することで、両領域の読み取りを並行して行うこともできる。つまり、第二読取部１１Ｂを基準にして、第二領域の上流端Ｄ２から見て第一領域の上流端Ｄ１の位置する下流方向、すなわち搬送方向下流側に、上流端間隔Ｇ２を置いて第一読取部１１Ａを配置する。
【００６４】
このようにすると、第二読取部１１Ｂは、第二領域３０Ｂの読み取りを、第一読取部１１Ａよりも先に開始する。第二読取部１１Ｂによる第二領域３０Ｂの読み取りの途中から、第一読取部１１Ａが、第一領域３０Ａの読み取りを開始し、両領域の上流端Ｄ１，Ｄ２に両読取部１１Ａ，１１Ｂが同時に対向して、両読み取りを同時に終了する。
【００６５】
さらに、間隔Ｋは、第二読取部１１Ｂを基準にして搬送方向の下流側に下流端間隔Ｇ１から上流端間隔Ｇ２までの間で任意に決定しても、長い第二領域３０Ｂの読み取り中に、短い第一領域３０Ａの読み取りを並行して行うことができる。
【００６６】
また、図６（２）のように、距離ＬＢがＬＡより長く、第一領域３０Ａが第二領域３０Ｂより上流側に配置されている場合、上記と同様に第二読取部１１Ｂを基準にして搬送方
向において、第二領域３０Ｂの下流端Ｃ２から見て第一領域３０Ａの下流端Ｃ１が位置する上流方向と同じ方向に下流端間隔Ｇ１から、第二領域３０Ｂの上流端Ｄ２から見て第一領域３０Ａの上流端Ｄ１が位置する上流方向と同じ方向に上流端間隔Ｇ２までの間の任意の間隔Ｋで第二読取部１１Ｂを配置する。これにより、両領域３０Ａ，３０Ｂの読み取りを並行して行うことができる。
【００６７】
さらに、図６（３）のように、距離ＬＢがＬＡより短く、第一領域３０Ａが第二領域３０Ｂより下流側に配置されている場合、第二領域３０Ｂと対向する第二読取部１１Ｂを基準にして搬送方向において、第二領域３０Ｂの下流端Ｃ２から見て第一領域３０Ａの下流端Ｃ１が位置する下流方向と同じ方向に下流端間隔Ｇ１から、第二領域３０Ｂの上流端Ｄ２から見て第一領域３０Ａの上流端Ｄ１が位置する下流方向と同じ方向に上流端間隔Ｇ２までの間の任意の間隔Ｋで第二読取部１１Ｂを配置する。これにより、上記と同様に、両領域３０Ａ，３０Ｂの読み取りを並行して行うことができる。
【００６８】
また、図示しないが距離ＬＢがＬＡより短く、第一領域３０Ａが第二領域３０Ｂより上流側に配置されている場合（図６（１）を上下逆にしたもの）、上記と同様に第一第二領域３０Ｂと対向する第二読取部１１Ｂを基準にして搬送方向において、第二領域３０Ｂの下流端Ｃ２から見て第一領域３０Ａの下流端Ｃ１が位置する上流方向と同じ方向に下流端間隔Ｇ１から、第二領域３０Ｂの上流端Ｄ２から見て第一領域３０Ａの上流端Ｄ１が位置する上流方向と同じ方向に上流端間隔Ｇ２までの間の任意の間隔Ｋで第二読取部１１Ｂを配置する。これにより、両領域３０Ａ，３０Ｂの読み取りを並行して行うことができる。
【００６９】
即ち、それぞれの領域の搬送方向の距離であるＬＡとＬＢの長さの関係と、それぞれの領域が搬送方向に対してどちらが下流側（上流側）に配置されているかとに応じて、上述のようにＣ１，Ｃ２，Ｄ１，Ｄ２の上下流端間隔であるＧ１及びＧ２を限界値とした、間隔Ｋで第一及び第二読取部１１Ａ，１１Ｂの位置が決定される。
【００７０】
一方、Ｓ１０４にて、一方の領域の内に他方の領域が存在すると判断されると（搬送方向の下流側からＣ１，Ｃ２，Ｄ２，Ｄ１又はＣ２，Ｃ１，Ｄ１，Ｄ２の順序に配置されている場合）（Ｓ１０４：Ｙ）、第一読取部１１Ａは、第二読取部１１Ｂを基準として搬送方向上流側と下流側とにわたる範囲内において間隔Ｋで配置される。
【００７１】
即ち、図７（１）のように第一領域３０Ａが第二領域３０Ｂより短く、第一領域３０Ａの両端Ｃ１，Ｄ１が第二領域３０Ｂの両端Ｃ２，Ｄ２間に存在している場合、第一読取部１１Ａは、第二読取部１１Ｂを基準にして搬送方向の上流側の下流端間隔Ｇ１と搬送方向の下流側に上流端Ｇ２の距離を置いた位置までの任意の位置に配置される。なお、この場合も上記と同様に考えることができる。第二読取部１１Ｂを基準にして搬送方向において、第二領域３０Ｂの下流端Ｃ２から見て第一領域３０Ａの下流端Ｃ１が位置する上流方向と同じ方向に下流端間隔Ｇ１から、第二領域３０Ｂの上流端Ｄ２から見て第一領域３０Ａの上流端Ｄ１が位置する下流方向と同じ方向に上流端間隔Ｇ２までの間の任意の間隔Ｋで第二読取部１１Ｂを配置する。
【００７２】
この場合、両読取部１１Ａ，１１Ｂを搬送方向において同じ位置すなわち互いに対向する位置に配置しても良いが、前述の「裏写り」現象を回避するには、両読取部１１Ａ，１１Ｂを、対向する位置から搬送方向上または下流側に間隔Ｓ以上ずらして配置することが望ましい。
【００７３】
一方、Ｓ１０３にて、上下流端間隔Ｇ１及びＧ２のどちらか一方が所定の間隔Ｓより短いと判断した場合（Ｇ１≧ＳかつＧ２＜Ｓ、又はＧ２≧ＳかつＧ１＜Ｓ）（Ｓ１０３：Ｎ）、前述した図６（１）〜（３）及び図７（１）の場合と同様に、第一及び第二読取部１
１Ａ，１１Ｂを、上下流端間隔Ｇ１及びＧ２にもとづいた間隔Ｋを置いて配置することができる。なお、両領域３０Ａ，３０Ｂの下流端又は上流端が一致している場合（Ｇ１＝０又はＧ２＝０）は、例えば、間隔Ｋ＝Ｇ１＝０として両読取部１１Ａ，１１Ｂを、配置してもよい。
【００７４】
即ち、図７（２）のように距離ＬＢがＬＡより長く、第一領域３０Ａと第二領域３０Ｂとの下流端Ｃ１，Ｃ２が間隔Ｓよりも小さい量だけずれている場合（Ｇ１＜Ｓ）、上記図６（１）の場合と同様に第二読取部１１Ｂを基準にして搬送方向において、第二領域３０Ｂの下流端Ｃ２から見て第一領域３０Ａの下流端Ｃ１が位置する下流方向と同じ方向に下流端間隔Ｇ１から、第二領域３０Ｂの上流端Ｄ２から見て第一領域３０Ａの上流端Ｄ１が位置する下流方向と同じ方向に上流端間隔Ｇ２までの間の任意の間隔Ｋで第一及び第二読取部１１Ａ，１１Ｂの位置を決めることができる。ただし、間隔Ｋ＝Ｇ１と設定するとき、「裏写り」現象を回避するため、第二読取部１１Ｂを基準にして下流側の方向に、間隔Ｋを間隔Ｓ以上に設定することが望ましい。
【００７５】
また、図７（３）のように距離ＬＢがＬＡより長く、第一領域３０Ａと第二領域３０Ｂとの上流端Ｄ１，Ｄ２が間隔Ｓよりも小さい量だけずれている場合（Ｇ２＜Ｓ）、上記図７（１）の場合と同様に第二読取部１１Ｂを基準にして搬送方向において、第二領域３０Ｂの下流端Ｃ２から見て第一領域３０Ａの下流端Ｃ１が位置する上流方向と同じ方向に下流端間隔Ｇ１から、第二領域３０Ｂの上流端Ｄ２から見て第一領域３０Ａの上流端Ｄ１が位置する上流方向と同じ方向に上流端間隔Ｇ２までの間の任意の間隔Ｋで第一及び第二読取部１１Ａ，１１Ｂの位置を決めることができる。この場合も、間隔Ｋ＝Ｇ２と設定するとき、「裏写り」現象を回避するため、第二読取部１１Ｂを基準にして下流側の方向に、間隔Ｋを間隔Ｓ以上に設定することが望ましい。
【００７６】
なお、上記各図において上記のように、第二読取部１１Ｂを基準にして第一読取部１１Ａを配置するのではなく、第一読取部１１Ａを基準にして第二読取部１１Ｂを配置することもできる。すなわち、第一読取部１１Ａを基準にして、第一領域３０Ａの下流端Ｃ１から見て第二領域３０Ｂの下流端Ｃ２が位置する方向と同じ方向に下流端間隔Ｇ１から、第一領域３０Ａの上流端Ｄ１から見て第二領域３０Ｂの上流端Ｄ２が位置する方向と同じ方向に上流端間隔Ｇ２までの間の任意の間隔Ｋで第二読取部１１Ｂを配置することもできる。
【００７７】
読取装置２５としては、あらかじめ間隔Ｋを、上下流端間隔Ｇ１，Ｇ２又はそれらの間で決められた値のいずれかに決めておく。そして、Ｃ１，Ｃ２，Ｄ１，Ｄ２を読み込み、間隔Ｋが間隔Ｓより小さくなるとき、図７（２）又は（３）で説明したように、間隔Ｋを間隔Ｓ以上に設定する処理を行えばよい。
【００７８】
また、Ｓ１０２にて、上下流端間隔Ｇ１及びＧ２のどちらもが所定の間隔Ｓより短い場合（Ｇ１＜ＳかつＧ２＜Ｓ）（Ｓ１０２：Ｙ）、つまり、第一及び第二領域３０Ａ，３０Ｂがほぼ重なっている場合でも、わずかな両領域のずれ、つまり上下流端間隔Ｇ１，Ｇ２にもとづいて図７（１）で説明したように、第一及び第二読取部１１Ａ，１１Ｂの位置を決めることができる。この場合、間隔Ｋ＜Ｓとなるので、「裏写り」現象を回避するため、間隔Ｋを間隔Ｓ以上に設定することが望ましい。なお、読み取り時間を短縮するために、間隔Ｋは間隔Ｓ以上でできるだけ小さい値であることが望ましい。
【００７９】
Ｓ１０５からＳ１０７の処理により間隔Ｋを決定すると、第一及び第二駆動モータ１２Ａ，１２Ｂにより第一及び第二読取部１１Ａ，１１Ｂを移動制御する（Ｓ１０８）。第一及び第二読取部１１Ａ，１１Ｂの位置は、前述のように搬送方向の上流側下流側の相互の関係と間隔Ｋを保てば、移動可能な範囲内で任意に設定することができる。この理由は、
搬送ローラ２１による搬送制御において、公知のように原稿２４の下流端位置を検出又はレジストして搬送量を制御することで、任意に設定された読取部の位置に原稿２４の第一及び第二領域３０Ａ，３０Ｂを対向させることができるからである。
【００８０】
＜読取処理の説明＞
図８は、上述した配置処理の終了後に実行される読取処理を示したフローチャートである。
【００８１】
図８に示される読取処理は、予め所定の原稿２４について上述したように間隔Ｋを決定しＳ１０８にて第一及び第二読取部１１Ａ，１１Ｂを移動する処理が終了し、かつ読取モードが指定されている場合に、ＭＦＰ１の制御回路２０により実行される。
【００８２】
本処理が実行されると、制御回路２０によりＳ２０１にて、図示しない給紙センサにて原稿２４が給紙検出されたか否かが判断される。即ち、図２に示した読取装置２５に原稿２４が送られる様に、原稿２４が移動部の図示しない給紙部にセットされたかが判断される。
【００８３】
ここで給紙検出がされないと判断されると（Ｓ２０１：Ｎ）、Ｓ２０１にて常に給紙検出がされたか判断し続ける。給紙検出がされたと判断されると（Ｓ２０１：Ｙ）、Ｓ２０２にて原稿２４が高速搬送される。尚、高速搬送とはそれぞれの読取部によって原稿２４の第一及び第二面のそれぞれの領域が読み取られる際の搬送速度に対して高速であることを示す。
【００８４】
次にＳ２０３にて、第一又は第二読取部１１Ａ，１１Ｂの位置に両領域３０Ａ，３０Ｂの下流端Ｃ１又はＣ２の内のどちらかが達したか否かが判断される。ここで達していないと判断されると（Ｓ２０３：Ｎ）、Ｓ２０２にてさらに原稿２４が高速搬送される。その後、Ｓ２０３にて、第一又は第二読取部の位置にＣ１又はＣ２の内のどちらかが達したと判断されると（Ｓ２０３：Ｙ）、Ｓ２０４にて、予め指定された両面に対する読取モードがそれぞれ読み出される。
【００８５】
そして、Ｓ２０５にて、それぞれの読取モードによる搬送速度が一致するか否かが判断される。ここで一致すると判断されると（Ｓ２０５：Ｙ）、Ｓ２０６にて、両面の読取モードに対する共通の搬送速度を設定し、一致しないと判断されると（Ｓ２０５：Ｎ）、Ｓ２０７にて、両面の読取モードの内、低速で搬送される読取モードの搬送速度が設定される。
【００８６】
その後、Ｓ２０８にて、原稿２４がＳ２０６又はＳ２０７にて設定された搬送速度で低速搬送をされつつ、第一及び第二領域３０Ａ、３０Ｂが読み取られる。このとき前述したように両読取部１１Ａ，１１Ｂの配置によって、両領域３０Ａ、３０Ｂが同時に読み取り開始されるか、第一又は第二読取部１１Ａ，１１Ｂに達した第一又は第二領域３０Ａ，３０Ｂの方から読み取り開始される。
【００８７】
次に、Ｓ２０９にて、第一又は第二読取部１１Ａ，１１Ｂの位置に両領域３０Ａ，３０Ｂの上流端Ｄ１及びＤ２がそれぞれ達したか判断される。ここで、達していないと判断されると（Ｓ２０９：Ｎ）、Ｓ２０８にてさらに原稿２４が低速搬送されつつ、読み取られる。その後、Ｓ２０９にて達したと判断されると（Ｓ２０９：Ｙ）、Ｓ２１０にて、原稿２４が高速搬送されて、Ｓ２１１にて、原稿２４が図示しない排紙部に排紙されたかを検知される。
【００８８】
ここで、排紙検知されていないと判断されると、Ｓ２１０にてさらに原稿２４が高速搬
送され、その後、Ｓ２１１にて、排紙検知されたと判断されると、本処理が終了する。
【００８９】
本処理では、原稿２４の第一及び第二領域３０Ａ、３０Ｂが読み取られていない間（Ｓ２０１：ＹからＳ２０３：Ｙまでと、Ｓ２０９：ＹからＳ２１１：Ｙまでの期間）、Ｓ２０２およびＳ２１０にて原稿２４が高速で搬送されるため、本処理を短時間で実行可能である。
【００９０】
また、両面の読取モードがそれぞれ異なることで搬送速度が異なった場合（Ｓ２０５：Ｎ）、Ｓ２０７にて低速の方の搬送速度に合わせる事で、精度よく読み取りが実行可能である。
【００９１】
尚、前述した配置処理にて決定された位置に第一及び第二読取部１１Ａ，１１Ｂが配置された場合における読取処理では、前述の図９で説明したように第一及び第二領域３０Ａ、３０Ｂを並行して読み取ることが可能であり（図６，７のように両領域において読み取り期間にそれぞれ長短がある）、図９（２）グラフに示すように、第一及び第二領域３０Ａ、３０Ｂの読取データが重なったデータ量が単位時間当たりに読み取られることとなる。
【００９２】
また、本実施形態にて読み取った読取データを用いて、印刷部７にて複写処理が可能である。この場合、短時間の読取処理にて読取データが生成されるため、複写処理も短時間で実行可能である。
【００９３】
［第二の実施形態］
次に、第二の実施形態を説明する。
【００９４】
尚、第一の実施形態と共通する部分は説明を省略する。
【００９５】
本実施形態では、第一の実施形態とハード構成、読取装置２５の全体構成、読取モードの指定、及び読取領域の指定が共通である。第一の実施形態では、両面の画像を同時に読み取ることで処理時間を短縮しているが、両面とも読み取りモードを高解像度でかつカラーなどと指定すると、所定時間当たりの読取データ量が過大となり、制御回路における処理能力を超えたり、処理速度を遅くすることがある。そこで、本実施形態では、両面の読取データ量の和が所定値以上になるか否かをあらかじめ推定し、両面の画像を別々の期間に分けて読み取るか、同時に読み取るかを制御できるようにする。
【００９６】
例えば、読取データ量の和が所定値以上になる場合、図１３に示すように、第一領域３０Ａの上流端Ｄ１と第二領域３０Ｂの下流端Ｃ２との間隔に対応して第一及び第二読取部１１Ａ，１１Ｂをあらかじめ配置しておくことで、第一領域３０Ａの読み取りの後に第二領域３０Ｂの読み取りを行うようにしている。
【００９７】
＜第一及び第二読取部１１Ａ，１１Ｂの配置処理の説明＞
図１０は、第一及び第二読取部１１Ａ，１１Ｂの配置処理を表したフローチャートである。また、図１１は、Ｓ３０３における第一及び第二読取部１１Ａ，１１Ｂの配置可能な設定可能範囲を示す配置例である。
【００９８】
また、Ｃ１，Ｃ２，Ｄ１，Ｄ２，Ｇ１，Ｇ２，ＬＡ，ＬＢ，Ｋ，及びＳの定義に加え、第一領域３０Ａの上流端Ｄ１から第二領域３０Ｂの下流端Ｃ２までの搬送方向の間隔（｜Ｄ１−Ｃ２｜）をＬＣと定義する。
【００９９】
図１０に示される配置処理は、ＭＦＰ１の制御回路２０にて読取領域の指定及び両面の
読取モードが指定された後に実行される。
【０１００】
制御回路２０によりＳ１０１にて、指定された第一及び第二領域３０Ａ，３０Ｂにおける下流端のＣ１、Ｃ２、及び上流端のＤ１、Ｄ２が読み込まれると、Ｓ３０１にて両面の読取モードが読み出される。
【０１０１】
そして、Ｓ３０２にて両面の読取データ量の和が所定の値より大きいか推定される。即ち、特定の読取モードにて同時両面読取処理を実行することで、読取データの量が所定の値を超えるか否かが判断される。
【０１０２】
所定の値を超えていないと判断されると（Ｓ３０２：Ｎ）、Ｓ１０２からＳ１０８にて第一の実施形態と同様の処理が実行される。
【０１０３】
一方、所定の値を超えていると判断されると（Ｓ３０２：Ｙ）、Ｓ３０３にて、図１１（１）、（２）のように第一及び第二読取部１１Ａ，１１Ｂの搬送方向の間隔Ｋが設定される。両領域３０Ａ，３０Ｂの読取処理が重ならないようにするには、一方の読取部が読取領域の上流端に達したときに、他方の読取部がそれに対応する読取領域の下流端に達すればよいので、例えば第一領域３０Ａの上流端Ｄ１と第二領域３０Ｂの下流端Ｃ２との距離に相当する間隔ＬＣを、第一読取部１１Ａと第二読取部１１Ｂとの間の間隔Ｋとする。
【０１０４】
図１１（１）のように第一領域３０Ａの上流端Ｄ１が第二領域３０Ｂの下流端Ｃ２より上流側に存在する場合、また、図１１（２）のように第一領域３０Ａの上流端Ｄ１が第二領域３０Ｂの下流端Ｃ２より下流側に存在する場合、のいずれも同様に、前記間隔ＬＣを間隔Ｋとすることで、第一領域３０Ａを先に読み取り、その後第二領域３０Ｂを読み取ることができる。
【０１０５】
その後、第一の実施形態と同様に、Ｓ１０８にて、第一及び第二駆動モータ１２Ａ、１２Ｂにより第一及び第二読取部１１Ａ，１１Ｂを、端部Ｄ１，Ｃ２の上流側下流側の関係に対応した上流側下流側の関係とするとともにその両者間に間隔Ｋを置くように移動制御する。
【０１０６】
本実施形態では、始めに第一領域３０Ａを読み取り、次に第二領域３０Ｂを読み取るように第一及び第二読取部１１Ａ，１１Ｂの設定位置を決定しているが、どちらが先かは任意であっても良い。始めに第二領域３０Ｂを読み取り、次に第一領域３０Ａを読み取る場合には、第一領域３０Ａの下流端Ｃ１と第二領域３０Ｂの上流端Ｄ２との距離に相当する間隔ＬＣを間隔Ｋとする。また、読取装置２５の大きさ等の制約により一意的に位置が決められても良い。
【０１０７】
＜読取処理の説明＞
図１２は、上述した配置処理の終了後に実行される読取処理を示したフローチャートである。
【０１０８】
図１２に示される読取処理は、予め所定の原稿２４について上述したＳ３０３にて間隔Ｋを決定しＳ１０８にて検知部１１Ａ，１１Ｂを移動した処理が終了している場合に、ＭＦＣ１の制御回路２０により実行される。
【０１０９】
本処理が実行されると、Ｓ２０１からＳ２０２の処理が第一の実施形態と同様に実行される。前記Ｓ３０３にて第一領域３０Ａを第二領域３０Ｂよりも先に読み取る設定がされているのでＳ２０３にて第一領域３０Ａの下流端Ｃ１が第一読取部１１Ａに達すると（Ｓ２０３：Ｙ）、Ｓ２０４にて両面の読取モードを読み出され、Ｓ４０２にて、原稿２４の
搬送速度が第一領域３０Ａの読取モードに対する搬送速度に設定される。
【０１１０】
その後、Ｓ４０３にて、原稿２４がＳ４０２において設定された搬送速度で低速搬送をされつつ、第一読取部１１Ａにて第一領域３０Ａが読み取られる。
【０１１１】
次に、Ｓ４０４にて、第一読取部１１Ａの位置に第一領域３０Ａの上流端Ｄ１（または第二読取部１１Ｂに第二領域３０Ｂの下流端Ｃ２）が達したか判断される。ここで、達していないと判断されると（Ｓ４０４：Ｎ）、Ｓ４０３にてさらに原稿２４が低速搬送されつつ、読み取られる。その後、Ｓ４０４にて達したと判断されると（Ｓ４０４：Ｙ）、Ｓ４０５にて、原稿２４が搬送速度が第二領域３０Ｂの読取モードに対する搬送速度に設定される。ここで、速度変更のための時間的余裕を持つように、あらかじめ間隔Ｋを決定したり、時間を挿入するようにしても良い。
【０１１２】
そして、この時点で第二領域３０Ｂの下流端Ｃ２が第二読取部１１Ａに達しているので、Ｓ４０６にて、原稿２４がＳ４０５にて設定された搬送速度で低速搬送をされつつ、第二読取部１１Ｂにて第二領域３０Ｂが読み取られる。
【０１１３】
その後、Ｓ４０７にて、第二読取部１１Ｂの位置に第二領域３０Ｂの上流端Ｄ２が達したか判断される。ここで、達していないと判断されると（Ｓ４０７：Ｎ）、Ｓ４０６にてさらに原稿２４が低速搬送されつつ、読み取られる。その後、Ｓ４０７にて達したと判断されると（Ｓ４０７：Ｙ）、Ｓ２１０及びＳ２１１の処理が実行され、Ｓ２１１にて排紙が検出されると（Ｓ２１１：Ｙ）本処理は終了する。
【０１１４】
本処理では第一の実施形態と同様に、原稿２４の第一及び第二領域３０Ａ、３０Ｂが読み取られていない間（Ｓ２０１：ＹからＳ２０３：Ｙまでと、Ｓ２０９：ＹからＳ２１１：Ｙまでの期間）、Ｓ２０２およびＳ２１０にて原稿２４が高速で搬送されるため、本処理を短時間で実行可能である。
【０１１５】
また、Ｓ４０３及びＳ４０６の処理は、第一読取部１１Ａ及び第二読取部１１Ｂが互いに独立して動作するため、それぞれの読取部がそれぞれ動作している際には、それぞれの発光部の発光と消灯とがそれぞれ逆転する。よって、第一読取部１１Ａと第二読取部１１Ｂの搬送方向の間隔をＫが搬送方向に対して所定の間隔Ｓよりも短くても、裏写りは発生しない。
【０１１６】
本実施の形態では、第一領域３０Ａを第二領域３０Ｂよりも先に読み取るが、第二領域３０Ｂを先に読み取るようにしてもよい。この場合、Ｓ２０３，Ｓ４０４，Ｓ４０７の第一読取部１１Ａと第二読取部１１Ｂとが置き換えられる。
【０１１７】
尚、前述した配置処理のＳ３０３の処理にて決定された位置に第一及び第二読取部１１Ａ，１１Ｂが配置された場合における読取処理では、図１３に示すように第一及び第二領域３０Ａ、３０Ｂが第一及び第二読取部１１Ａ，１１Ｂにより、先に第一領域３０Ａ、次に第二領域３０Ｂが読み取られ、読み取られた読取データは、図１３（２）のグラフに示すように、第一領域３０Ａの読取データと第二領域３０Ｂの読取データが時間的に直列に並ぶ。
【０１１８】
図１３（１）において数字１から８は、時間経過を表し図１３（２）のグラフは、横軸を時間軸、縦軸を読取データ量として表されている。本例では、２から７の時間に第一及領域３０Ａ、第二領域３０Ｂが順に読み取られる為、第一及び第二領域３０Ａ、３０Ｂの読取データのそれぞれのデータ量が単位時間当たりに読み取られることとなる。
【０１１９】
本実施形態では、Ｓ３０３での決定に基づいて、あえて両面を同時に読まないように読取処理を実行する。この様にすることで、例えば、特定の読取モードの指定に応じて読取データ量が大きくなった為、読み取った第一及び第二領域３０Ａ、３０Ｂを合わせた単位時間当たりの読取データが一時的に蓄えられるＲＡＭ４の容量よりも多い場合や、処理負荷を超える場合等に対応可能である。
【０１２０】
また、本実施形態においても第一の実施形態と同様に読み取った読取データを用いて、印刷部７にて複写処理が可能である。この場合、短時間の読取処理にて読取データが生成されるため、複写処理も短時間で実行可能である。
【０１２１】
＜他の実施形態＞
以下、他の実施形態を説明する。
【０１２２】
（１）本実施形態では、第一及び第二読取部１１Ａ，１１Ｂがそれぞれ第一及び第二駆動モータ１２Ａ、１２Ｂと接続され、位置が移動可能に構成されているが、第一及び第二読取部１１Ａ，１１Ｂのどちらかが移動可能に構成されていてもよい。
【０１２３】
（２）本実施形態では、第二読取部１１Ｂを基準に第一読取部１１Ａの位置が設定されるように制御しているが、どちらを基準にしてもよく、相対的に上記したような位置に設定されれば良い。
【０１２４】
（３）本実施形態では、読取モードを必ず指定しているが、この指定はなくても良い。即ち、本実施形態の配置処理における図１０のＳ３０２、及び読取処理における図８のＳ２０４からＳ２０７、図１２のＳ２０４、Ｓ４０２、Ｓ４０５の処理はなくても良い。
【０１２５】
（４）本実施形態では、読取処理にて図８及び図１２にてそれぞれの領域が読み取られていない間（Ｓ２０１：ＹからＳ２０３：Ｙまでと、Ｓ２０９：ＹからＳ２１１：Ｙまでの期間）、Ｓ２０２およびＳ２１０にて原稿２４が高速で搬送されるが、高速搬送されなくても良い。
【０１２６】
（５）本実施形態では、原稿２４の画像データの読取処理の際、原稿２４を搬送ローラ２１にて搬送させながら両読取部１１Ａ，１１Ｂにより読み取る形態であったが、原稿２４が定位置に留まって両読取部１１Ａ，１１Ｂが移動することで読取処理が実行される形態であっても良い。
【０１２７】
この場合、上述した本実施形態と同様に指定された第一及び第二領域３０Ａ，３０Ｂから上述した間隔Ｋを求めることで第一及び第二読取部１１Ａ，１１Ｂの相対的な位置関係を決定し、その位置関係を保ったまま両読取部１１Ａ，１１Ｂによる読取処理の開始位置を決定し、両読取部１１Ａ，１１Ｂを移動させることで読取処理を実行すればよい。
【０１２８】
（６）本実施形態では、本発明の画像形成装置の一例としてＭＦＰ１による例にて説明したが、本発明の画像形成装置はＭＦＰ１に限定されない。例えば、コピー機、ＦＡＸ装置等が挙げられる。
【図面の簡単な説明】
【０１２９】
【図１】ＭＦＰ１を示したハード構成図である。
【図２】読取装置の一例を示した構成図である。
【図３】原稿２４の第一及び第二領域３０Ａ、３０Ｂを指定する例を示した図である。
【図４】表示部５及び操作部６を用いて読取領域を指定する例を示した図である。
【図５】第一の実施形態における第一及び第二読取部１１Ａ，１１Ｂの配置処理を表したフローチャートである。
【図６】（１）（２）（３）はそれぞれ第一の実施形態において、第一及び第二読取部１１Ａ，１１Ｂと第一及び第二領域３０Ａ，３０Ｂとの関係を説明する図である。
【図７】（１）（２）（３）はそれぞれ第一の実施形態において、第一及び第二読取部１１Ａ，１１Ｂと第一及び第二領域３０Ａ，３０Ｂとの他の関係を説明する図である。
【図８】第一の実施形態における読取処理を示したフローチャートである。
【図９】第一の実施形態における第一及び第二領域３０Ａ，３０Ｂが読み取られる処理を時間的に表した図である。
【図１０】第二の実施形態における第一及び第二読取部１１Ａ，１１Ｂの配置処理を表したフローチャートである。
【図１１】（１）（２）はそれぞれ第二の実施形態のＳ３０３の処理における、第一及び第二読取部１１Ａ、１１Ｂと第一及び第二領域３０Ａ，３０Ｂとの関係を説明する図である。
【図１２】第二の実施形態におけるＳ３０３の処理に対応した読取処理を示したフローチャートである。
【図１３】第二の実施形態における第一及び第二領域３０Ａ，３０Ｂが読み取られる処理を時間的に表した図である。
【符号の説明】
【０１３０】
１  ＭＦＰ
２  ＣＰＵ
５  表示部
６  操作部
１１Ａ  第一読取部
１１Ｂ  第二読取部
１２Ａ  第一駆動モータ
１２Ｂ  第二駆動モータ
１３  搬送駆動モータ
２１  搬送ローラ
２４  原稿
３０Ａ  第一領域
３０Ｂ  第二領域
【図１】
2010068377.tif 000003
【図２】
2010068377.tif 000004
【図３】
2010068377.tif 000005
【図４】
2010068377.tif 000006
【図５】
2010068377.tif 000007
【図６】
2010068377.tif 000008
【図７】
2010068377.tif 000009
【図８】
2010068377.tif 000010
【図９】
2010068377.tif 000011
【図１０】
2010068377.tif 000012
【図１１】
2010068377.tif 000013
【図１２】
2010068377.tif 000014
【図１３】
2010068377.tif 000015